(57)【要約】      （修正有）【課題】新規な形態の表示パターンを採用することにより、各表示パターンを綺麗に表示することができる可変表示体及び可変表示体の製造方法を提供する。【解決手段】本発明に係る可変表示体は、光透過性を有する基体と、各表示パターン５Ａ，５Ｂ，５Ｃが別々の色の光源の光透過性を有する複数種類の表示パターン５Ａ，５Ｂ，５Ｃであって、各表示パターン５Ａ，５Ｂ，５Ｃが互いに離間する複数のセグメント５ａ，５ｂ，５ｃで構成される複数種類の表示パターン５Ａ，５Ｂ，５Ｃからなり、各セグメント５ａ，５ｂ，５ｃが重ならないようにしつつ各表示パターン５Ａ，５Ｂ，５Ｃを重ねた配置態様の表示パターン層と、表示パターン層以外の領域を遮光する遮光層とを備え、光源を切り替えて発光制御することにより、異なる表示パターンを表示する。【選択図】図２
2019211681.tif 000002
【特許請求の範囲】
【請求項１】
光透過性を有する基体と、
各表示パターンが別々の色の光源の光透過性を有する複数種類の表示パターンであって、各表示パターンが互いに離間する複数のセグメントで構成される複数種類の表示パターンからなり、各セグメントが重ならないようにしつつ各表示パターンを重ねた配置態様の表示パターン層と、
該表示パターン層以外の領域を遮光する遮光層と
を備え、
前記光源を切り替えて発光制御することにより、異なる表示パターンを表示する
可変表示体。
【請求項２】
前記全表示パターンに対して透過光量を制御する第一の光量制御層と、
前記表示パターンごとに透過光量を調整するための第二の光量制御層と
をさらに備える請求項１に記載の可変表示体。
【請求項３】
前記第一の光量制御層は、前記全セグメントを包含するように設けられ、
前記第二の光量制御層は、前記セグメントごとに設けられる
請求項２に記載の可変表示体。
【請求項４】
光透過性を有する基体に対し、
各表示パターンが別々の色の光源の光透過性を有する複数種類の表示パターンであって、各表示パターンが互いに離間する複数のセグメントで構成される複数種類の表示パターンからなり、各セグメントが重ならないようにしつつ各表示パターンを重ねた配置態様の表示パターン層を形成する工程と、
該表示パターン層以外の領域を遮光する遮光層を形成する工程と
を備える可変表示体の製造方法。
【請求項５】
前記全表示パターンに対して透過光量を制御する第一の光量制御層を形成する工程と、
前記表示パターンごとに透過光量を調整するための第二の光量制御層を形成する工程と
をさらに備える請求項４に記載の可変表示体の製造方法。
【請求項６】
光透過性を有する基体と、
各表示パターンが別々の色の光源の光透過性を有する複数種類の表示パターンであって、各表示パターンが互いに経時的な状態変化及び／又は位置変化の関係性にある複数種類の表示パターンからなる表示パターン層と、
該表示パターン層以外の領域を遮光する遮光層と
を備え、
前記光源を切り替えて発光制御することにより、各表示パターンを経時的に表示する
可変表示体。
【発明の詳細な説明】
【技術分野】
【０００１】
本発明は、同じ領域に異なる表示パターンを表示することができる可変表示体及び可変表示体の製造方法に関する。
【背景技術】
【０００２】
この種の可変表示体としては、光透過性を有するシートに青色光源、緑色光源及び赤色光源の光を切り換えて投光させ、第一の表示パターン、第二の表示パターン、第三の表示パターンを発光表示する可変表示体であって、一つの光源の光を透過させる単光透過印刷部分と、複数の光源の光を透過させる複数光透過印刷部分と、いずれの光源の光も透過させない背景印刷部分とをシートにそれぞれの印刷領域として備えたものが公知となっている（特許文献１）。
【０００３】
かかる可変表示体は、同じ領域に三つの表示パターンを配置し、表示パターンが重ならない部位を単光透過印刷部分とし、表示パターンが重なる部位を複数光透過印刷部分とするもので、一つの光源の光が単光透過印刷部分と複数光透過印刷部分を透過することにより、表示パターンを発光表示させるものである。
【先行技術文献】
【特許文献】
【０００４】
【特許文献１】特開２００８−２７６００４号公報
【発明の概要】
【発明が解決しようとする課題】
【０００５】
しかしながら、上記従来の可変表示体においては、単光透過印刷部分を透過する光の光量と複数光透過印刷部分を透過する光の光量を均一にすることが難しく、また、単光透過印刷部分を透過する光と複数光透過印刷部分を透過する光との間に僅かにでも色差が生じるため、表示パターンが継ぎ接ぎ的な様相を呈し、表示パターンを綺麗に表示できないという問題がある。
【０００６】
そこで、本発明は、かかる事情に鑑みてなされたもので、新規な形態の表示パターンを採用することにより、各表示パターンを綺麗に表示することができる可変表示体及び可変表示体の製造方法を提供することを課題とする。
【課題を解決するための手段】
【０００７】
本発明に係る可変表示体は、
光透過性を有する基体と、
各表示パターンが別々の色の光源の光透過性を有する複数種類の表示パターンであって、各表示パターンが互いに離間する複数のセグメントで構成される複数種類の表示パターンからなり、各セグメントが重ならないようにしつつ各表示パターンを重ねた配置態様の表示パターン層と、
表示パターン層以外の領域を遮光する遮光層と
を備え、
光源を切り替えて発光制御することにより、異なる表示パターンを表示するものである。
【０００８】
ここで、本発明に係る可変表示体の一態様として、
全表示パターンに対して透過光量を制御する第一の光量制御層と、
表示パターンごとに透過光量を調整するための第二の光量制御層と
をさらに備える
との構成を採用することができる。
【０００９】
この場合、
第一の光量制御層は、全セグメントを包含するように設けられ、
第二の光量制御層は、セグメントごとに設けられる
との構成を採用することができる。
【００１０】
また、本発明に係る可変表示体の製造方法は、
光透過性を有する基体に対し、
各表示パターンが別々の色の光源の光透過性を有する複数種類の表示パターンであって、各表示パターンが互いに離間する複数のセグメントで構成される複数種類の表示パターンからなり、各セグメントが重ならないようにしつつ各表示パターンを重ねた配置態様の表示パターン層を形成する工程と、
表示パターン層以外の領域を遮光する遮光層を形成する工程と
を備えるものである。
【００１１】
ここで、本発明に係る可変表示体の製造方法の一態様として、
全表示パターンに対して透過光量を制御する第一の光量制御層を形成する工程と、
表示パターンごとに透過光量を調整するための第二の光量制御層を形成する工程と
をさらに備える
との構成を採用することができる。
【発明の効果】
【００１２】
以上の如く、本発明に係る可変表示体及び可変表示体の製造方法によれば、各表示パターンは、互いに離間する複数のセグメントで構成されるため、新規な形態の表示パターンとすることができるとともに、各表示パターンは、各セグメントを等しく透過した光源の光によって構成されるため、光量及び色差にバラつきがなく、各表示パターンを綺麗に表示することができる。
【図面の簡単な説明】
【００１３】
【図１】図１（ａ）は、本発明の一実施形態に係る可変表示体を用いた可変表示装置の斜視図、図１（ｂ）は、同可変表示装置の断面図である。
【図２】図２は、同可変表示体の表示パターンであって、図２（ａ）は、青色のＬＥＤ光源を点灯した場合の表示パターン（第一の表示パターン）、図２（ｂ）は、緑色のＬＥＤ光源を点灯した場合の表示パターン（第二の表示パターン）、図２（ｃ）は、赤色のＬＥＤ光源を点灯した場合の表示パターン（第三の表示パターン）である。
【図３】図３は、同可変表示体の断面図である。
【図４】図４は、同可変表示体の製造方法のフロー図である。
【図５】図５は、第一の光量制御層形成工程の説明図であって、図５（ａ）は、同工程後の基体の裏面図、図５（ｂ）は、同断面図である。
【図６】図６は、遮光層形成工程の説明図であって、図６（ａ）は、同工程後の基体の裏面図、図６（ｂ）は、同断面図である。
【図７】図７は、第一の表示パターンに係る第二の光量制御層形成工程の説明図であって、図７（ａ）は、同工程後の基体の裏面図、図７（ｂ）は、同断面図である。
【図８】図８は、第二の表示パターンに係る第二の光量制御層形成工程の説明図であって、図８（ａ）は、同工程後の基体の裏面図、図８（ｂ）は、同断面図である。
【図９】図９は、第三の表示パターンに係る第二の光量制御層形成工程の説明図であって、図９（ａ）は、同工程後の基体の裏面図、図９（ｂ）は、同断面図である。
【図１０】図１０は、第一の表示パターンに係る表示パターン層形成工程の説明図であって、図１０（ａ）は、同工程後の基体の裏面図、図１０（ｂ）は、同断面図である。
【図１１】図１１は、第二の表示パターンに係る表示パターン層形成工程の説明図であって、図１１（ａ）は、同工程後の基体の裏面図、図１１（ｂ）は、同断面図である。
【図１２】図１２は、第三の表示パターンに係る表示パターン層形成工程の説明図であって、図１２（ａ）は、同工程後の基体の裏面図、図１２（ｂ）は、同断面図、すなわち、完成した可変表示体の断面図である。
【図１３】図１３（ａ）、（ｂ）は、それぞれ他実施形態に係る可変表示体の断面図である。
【図１４】図１４は、別の実施形態に係る可変表示体の表示パターンであって、図１４（ａ）ないし（ｃ）は、異なる色の光源を点灯した場合の表示パターン（第一ないし第三の表示パターン）である。
【図１５】図１５は、さらに別の実施形態に係る可変表示体の表示パターンであって、図１５（ａ）ないし（ｃ）は、異なる色の光源を点灯した場合の表示パターン（第一ないし第三の表示パターン）である。
【発明を実施するための形態】
【００１４】
以下、本発明に係る可変表示体及びこの製造方法の一実施形態について説明するが、まず、可変表示体の構成について、図１ないし図３を参酌して説明する。
【００１５】
図１に示す如く、本実施形態に係る可変表示体５は、平面状のプレートからなり、例えば光源３を内装した筐体２の開口部２ａに取り付けられ、あるいは、筐体２の一部として構成され、可変表示装置１となる。
【００１６】
光源３は、例えば、プリント配線基板である基板４に実装されたＬＥＤ光源からなり（回路及び電源については図示しない。）、青色光を発光する青色ＬＥＤからなる青色光源３ａと、緑色光を発光する緑色ＬＥＤからなる緑色光源３ｂと、赤色光を発光する赤色ＬＥＤからなる赤色光源３ｃの三色光源である。一例として、青色光は、中心波長が４５０ｎｍの光であり、緑色光は、中心波長が５２０ｎｍの光であり、赤色光は、中心波長が６５０ｎｍの光である。
【００１７】
図２に示す如く、可変表示体５は、三色光源３の各色に対応して、青色に発光する表示パターン（第一の表示パターン）５Ａと、緑色に発光する表示パターン（第二の表示パターン）５Ｂと、赤色に発光する表示パターン（第三の表示パターン）５Ｃの三つの表示パターンを可変表示できるようになっている。
【００１８】
すなわち、第一の表示パターン５Ａは、青色光源３ａの青色光を透過し、他の光源の光（緑色光源３ｂの緑色光及び赤色光源３ｃの赤色光）を透過しない特性を有し、第二の表示パターン５Ｂは、緑色光源３ｂの緑色光を透過し、他の光源の光（青色光源３ａの青色光及び赤色光源３ｃの赤色光）を透過しない特性を有し、第三の表示パターン５Ｃは、赤色光源３ｃの赤色光を透過し、他の光源の光（青色光源３ａの青色光及び緑色光源３ｂの緑色光）を透過しない特性を有する。
【００１９】
各表示パターン５Ａ，５Ｂ，５Ｃは、互いに離間する複数のセグメント５ａ，５ｂ，５ｃで構成される。本実施形態においては、各セグメント５ａ，５ｂ，５ｃは、円形であり、この円形の直径の２倍以上の距離を有する縦横等間隔の格子点の上に配置される。
【００２０】
また、各表示パターン５Ａ，５Ｂ，５Ｃは、互いに縦横等間隔の格子点のピッチがずれているため、各セグメント５ａ，５ｂ，５ｃは、重なっていない。すなわち、各表示パターン５Ａ，５Ｂ，５Ｃは、各セグメント５ａ，５ｂ，５ｃが重ならないようにしつつ同じ領域に重なって配置される。したがって、表示を見る者は、視線を移すことなく、各表示パターン５Ａ，５Ｂ，５Ｃを見ることができる。
【００２１】
ピッチをずらす方法としては、各表示パターン５Ａ，５Ｂ，５Ｃを互いに半ピッチだけずらす方法が挙げられる。本実施形態においては、第二の表示パターン５Ｂは、第一の表示パターン５Ａに対し、縦方向に半ピッチずれており、第三の表示パターン５Ｃは、第一の表示パターン５Ａに対し、横方向に半ピッチずれている。
【００２２】
図３に示す如く、可変表示体５は、基体５０と、基体５０の裏面に積層される第一の光量制御層５１と、第一の光量制御層５１の上の、各表示パターン５Ａ，５Ｂ，５Ｃの各セグメント５ａ，５ｂ，５ｃ以外の領域に積層される遮光層５２と、遮光層５２の遮光層非形成部５２ａ及びその周辺の遮光層５２の上に積層される第二の光量制御層５３と、第二の光量制御層５３の上に積層される、各表示パターン５Ａ，５Ｂ，５Ｃからなる表示パターン層５４の多層構造体である。
【００２３】
基体５０は、合成樹脂や紙等からなり、各光源３ａ，３ｂ，３ｃの光透過性を有するシートである。本実施形態においては、基体５０は、厚さが０．１〜０．４ｍｍのポリカーボネートのシートである。他方、本実施形態においては、各層５１〜５４は、印刷によって形成された印刷層である。
【００２４】
第一の光量制御層５１は、表示パターン層５４を透過する各光源３ａ，３ｂ，３ｃの光量を下げるためのものである。光量を下げないと、光量が強すぎるために、いずれかの光源が点灯した時に、対応する表示パターンが発光表示されるのみならず、他の表示パターンにも僅かに光が透過してその表示パターンがうっすらと見えてしまい、見栄えの悪いものとなるが、第一の光量制御層５１を設けることにより、いずれかの光源が点灯した時は、対応する表示パターンのみが発光表示され、綺麗な表示が可能となる。また、第一の光量制御層５１を設けることにより、各光源３ａ，３ｂ，３ｃが点灯していない時は、各表示パターン５Ａ，５Ｂ，５Ｃを目立たなくすることができる。なお、第一の光量制御層５１は、可変表示体５の背景色を定めるものでもある。
【００２５】
遮光層５２は、表示パターン層５４以外の領域から光が透過するのを規制するためのものである。言い換えれば、遮光層５２は、各光源３ａ，３ｂ，３ｃの光が透過するのを許容する領域を画するものである。したがって、遮光層５２は、各表示パターン５Ａ，５Ｂ，５Ｃの各セグメント５ａ，５ｂ，５ｃの配置に対応した遮光層非形成部５２ａを有している。
【００２６】
なお、遮光層５２は、第一の光量制御層５１を白色で形成した場合、濃い灰色で形成される。遮光層５２を黒色で形成すると、第一の光量制御層５１との色差が大きくなり、表示パターンがうっすらと見えてしまうおそれがあるが、遮光層５２を濃い灰色で形成することにより、遮光機能を担保しつつ、第一の光量制御層５１との色差が少なくなるために、各表示パターン５Ａ，５Ｂ，５Ｃを目立たなくすることができる。
【００２７】
第二の光量制御層５３は、第一の光量制御層５１で下げる光量よりもさらに光量を下げるためのものであるとともに、その下げ量を表示パターン５Ａ，５Ｂ，５Ｃごとに異ならせるためのものである。上述したとおり、第一の光量制御層５１を設けることにより、いずれかの光源が点灯した時は、対応する表示パターンのみを発光表示させることができ、各光源３ａ，３ｂ，３ｃが点灯していない時は、各表示パターン５Ａ，５Ｂ，５Ｃを目立たなくすることができるが、それでも、表示パターン５Ａ，５Ｂ，５Ｃごとにその効果の程度が僅かに違ってくる。第二の光量制御層５３は、これを調整ないし微調整するもので、第二の光量制御層５３を設けることにより、その効果を各表示パターン５Ａ，５Ｂ，５Ｃで均一化することができる。
【００２８】
表示パターン５Ａ，５Ｂ，５Ｃごとに透過光量を調整ないし微調整する方法としては、第一の表示パターン５Ａに係る第二の光量制御層５３ａ、第二の表示パターン５Ｂに係る第二の光量制御層５３ｂ、第三の表示パターン５Ｃに係る第二の光量制御層５３ｃのそれぞれの濃度（光透過度）や層の厚さを異ならせる方法が挙げられる。本実施形態においては、各第二の光量制御層５３ａ，５３ｂ，５３ｃにおいて、黒色インク及び白色インクに対するメジウム（透明インキ）の配合比率を異ならせることにより、第二の光量制御層５３ａ，５３ｂ，５３ｃごとに濃度（光透過度）を異ならせるようにしている。
【００２９】
ここで、各第二の光量制御層５３ａ，５３ｂ，５３ｃは、対応する遮光層非形成部５２ａの大きさの１．２倍以上、より好ましくは、１．３倍以上であって、１．８倍以下、より好ましくは、１．７倍以下の大きさ（本実施形態においては、各第二の光量制御層５３ａ，５３ｂ，５３ｃ及び遮光層非形成部５２ａは、円形に形成されるので、径）に形成される。これは、遮光層非形成部５２ａに対して第二の光量制御層５３が僅かにずれて形成されたとしても、遮光層非形成部５２ａ全域に第二の光量制御層５３が形成されるようにするためである。
【００３０】
また、各第二の光量制御層５３ａ，５３ｂ，５３ｃは、第一の光量制御層５１と同じ厚さに形成される。あるいは、各第二の光量制御層５３ａ，５３ｂ，５３ｃは、第一の光量制御層５１よりも薄くあるいは厚く形成されるものであってもよい。
【００３１】
表示パターン層５４は、上述したとおり、第一の表示パターン５Ａに係る表示パターン層５４ａと、第二の表示パターン５Ｂに係る表示パターン層５４ｂと、第三の表示パターン５Ｃに係る表示パターン層５４ｃからなる。
【００３２】
本実施形態においては、第一の表示パターン５Ａに係る表示パターン層５４ａは、青色系のインキを用いて形成され、可変表示体５の裏面側に配置された青色光源３ａの青色光を透過する。そして、表示パターン層５４ａを透過した青色光は、第一の表示パターン５Ａに係る第二の光量制御層５３ａ及び第一の光量制御層５１を透過して第一の表示パターン５Ａに固有の条件で透過光量が制御された状態で基体５０を透過し、基体５０の表面側に出射されて、第一の表示パターン５Ａが青色に発光表示される。
【００３３】
また、本実施形態においては、第二の表示パターン５Ｂに係る表示パターン層５４ｂは、緑色系のインキを用いて形成され、可変表示体５の裏面側に配置された緑色光源３ｂの緑色光を透過する。そして、表示パターン層５４ｂを透過した緑色光は、第二の表示パターン５Ｂに係る第二の光量制御層５３ｂ及び第一の光量制御層５１を透過して第二の表示パターン５Ｂに固有の条件で透過光量が制御された状態で基体５０を透過し、基体５０の表面側に出射されて、第二の表示パターン５Ｂが緑色に発光表示される。
【００３４】
また、本実施形態においては、第三の表示パターン５Ｃに係る表示パターン層５４ｃは、赤色系のインキを用いて形成され、可変表示体５の裏面側に配置された赤色光源３ｃの赤色光を透過する。そして、表示パターン層５４ｃを透過した赤色光は、第三の表示パターン５Ｃに係る第二の光量制御層５３ｂ及び第一の光量制御層５１を透過して第三の表示パターン５Ｃに固有の条件で透過光量が制御された状態で基体５０を透過し、基体５０の表面側に出射されて、第三の表示パターン５Ｃが赤色に発光表示される。
【００３５】
本実施形態に係る可変表示体５は、以上の構成からなり、次に、この可変表示体５の製造方法について、図４ないし図１２を参酌して説明する。
【００３６】
本実施形態においては、第一の光量制御層５１、遮光層５２、第一の表示パターン５Ａに係る第二の光量制御層５３ａ、第二の表示パターン５Ｂに係る第二の光量制御層５３ｂ、第三の表示パターン５Ｃに係る第二の光量制御層５３ｃ、第一の表示パターン５Ａに係る表示パターン層５４ａ、第二の表示パターン５Ｂに係る表示パターン層５４ｂ、第三の表示パターン５Ｃに係る表示パターン層５４ｃの順で形成する。したがって、図４に示す如く、本実施形態に係る可変表示体５の製造方法は、第一の光量制御層形成工程Ｓ１、遮光層形成工程Ｓ２、第一の表示パターンに係る第二の光量制御層形成工程Ｓ３、第二の表示パターンに係る第二の光量制御層形成工程Ｓ４、第三の表示パターンに係る第二の光量制御層形成工程Ｓ５、第一の表示パターンに係る表示パターン層形成工程Ｓ６、第二の表示パターンに係る表示パターン層形成工程Ｓ７、第三の表示パターンに係る表示パターン層形成工程Ｓ８からなる。
【００３７】
図５に示す如く、第一の光量制御層形成工程Ｓ１では、基体５０の裏面に第一の光量制御層５１が印刷により塗工される。本実施形態においては、矩形の基体５０の裏面全面に第一の光量制御層５１が形成されるが、第一の光量制御層５１は、各表示パターン５Ａ，５Ｂ，５Ｃの各セグメント５ａ，５ｂ，５ｃを全て包含した上で、必要な領域に形成されるものであればよい。
【００３８】
図６に示す如く、遮光層形成工程Ｓ２では、第一の光量制御層５１の上の、各表示パターン５Ａ，５Ｂ，５Ｃの各セグメント５ａ，５ｂ，５ｃが配置される領域を除く領域に、遮光層５２が印刷により塗工される。上述したとおり、各セグメント５ａ，５ｂ，５ｃは、ピッチをずらしているため、各セグメント５ａ，５ｂ，５ｃに対応する各遮光層非形成部５２ａは、重なっていない。
【００３９】
図７に示す如く、第一の表示パターンに係る第二の光量制御層形成工程Ｓ３では、第一の表示パターン５Ａに対応した遮光層非形成部５２ａ及びその周辺の遮光層５２の上に、第一の表示パターン５Ａに係る第二の光量制御層５３ａが印刷により塗工される。また、図８に示す如く、第二の表示パターンに係る第二の光量制御層形成工程Ｓ４では、第二の表示パターン５Ｂに対応した遮光層非形成部５２ａ及びその周辺の遮光層５２の上に、第二の表示パターン５Ｂに係る第二の光量制御層５３ｂが印刷により塗工される。さらに、図９に示す如く、第三の表示パターンに係る第二の光量制御層形成工程Ｓ５では、第三の表示パターン５Ｃに対応した遮光層非形成部５２ａ及びその周辺の遮光層５２の上に、第三の表示パターン５Ｃに係る第二の光量制御層５３ｃが印刷により塗工される。なお、これらの工程は、どの順で行ってもよい。
【００４０】
図１０に示す如く、第一の表示パターンに係る表示パターン層形成工程Ｓ６では、第一の表示パターン５Ａに係る第二の光量制御層５３ａの上に、第一の表示パターン５Ａに係る表示パターン層５４ａが印刷により塗工される。また、図１１に示す如く、第二の表示パターンに係る表示パターン層形成工程Ｓ７では、第二の表示パターン５Ｂに係る第二の光量制御層５３ｂの上に、第二の表示パターン５Ｂに係る表示パターン層５４ｂが印刷により塗工される。さらに、図１２に示す如く、第三の表示パターンに係る表示パターン層形成工程Ｓ８では、第三の表示パターン５Ｃに係る第二の光量制御層５３ｃの上に、第三の表示パターン５Ｃに係る表示パターン層５４ｃが印刷により塗工される。これにより、可変表示体５は完成する。なお、これらの工程は、どの順で行ってもよい。また、同じ表示パターンに係る第二の光量制御層形成工程と表示パターン層形成工程を続けて行い、これを他の表示パターンについても同様に行うようにしてもよい。
【００４１】
以上説明した本実施形態に係る可変表示体及びこの製造方法によれば、各表示パターン５Ａ，５Ｂ，５Ｃは、互いに離間する複数のセグメント５ａ，５ｂ，５ｃで構成されるため、新規な形態の表示パターン５Ａ，５Ｂ，５Ｃとすることができる。また、各表示パターン５Ａ，５Ｂ，５Ｃは、従来のように、単光透過印刷部分と複数光透過印刷部分の二種類の要素で構成されるのではなく、セグメント５ａ，５ｂ，５ｃという単一の要素の集合体で構成され、これにより、各表示パターン５Ａ，５Ｂ，５Ｃは、各セグメント５ａ，５ｂ，５ｃを等しく透過した光源の光によって構成されるため、光量及び色差にバラつきがなく、各表示パターン５Ａ，５Ｂ，５Ｃを綺麗に表示することができる。
【００４２】
また、本実施形態に係る可変表示体及びこの製造方法によれば、第一の光量制御層５１による全体の光量制御と、第二の光量制御層５３による表示パターン５Ａ，５Ｂ，５Ｃごとの個別の光量制御とを組み合わせて行うことにより、いずれかの光源が点灯した時は、対応する表示パターンのみを発光表示させることができるという効果、及び、各光源３ａ，３ｂ，３ｃが点灯していない時は、各表示パターン５Ａ，５Ｂ，５Ｃを目立たなくすることができるという効果を極めて高いレベルで達成することができる。
【００４３】
なお、本発明に係る可変表示体及びこの製造方法は、上記実施形態に限定されるものではなく、本発明の要旨を逸脱しない範囲で種々の変更が可能である。
【００４４】
例えば、上記実施形態においては、表示パターンの例示として、四角形と三角形と円形の組み合わせが挙げられている。しかし、本発明の表示パターンがこれに限定されないのはもちろんである。表示パターンとしては、文字、記号、図形、図柄等、種々のものを採用することができる。
【００４５】
また、上記実施形態においては、光源色として、青色、緑色、赤色の三原色が用いられる。しかし、光源の色はこれらに限定されるものではない。光源自体の色あるいは光源にカラーフィルターを組み合わせたもの等で投光することができる色すべてを含むものである。また、上記実施形態においては、光源として、ＬＥＤを用いた。しかし、ＬＥＤ以外の光源であってもよいことはもちろんである。
【００４６】
また、本発明に係る可変表示体の構造は、上記実施形態に限定されるものではない。例えば、上記実施形態においては、各層５１〜５４が全て基体５０の裏面側に設けられるが、一部は基体５０の表面側に設けられるようにしてもよい。一例として、図１３（ａ）に示す如く、第一の光量制御層５１は、基体５０の表面に積層されるようにしてもよい。この場合、第一の光量制御層形成工程は、上記実施形態と同様、最初に行ってもよいし、遮光層形成工程、第一の表示パターンに係る第二の光量制御層形成工程、第二の表示パターンに係る第二の光量制御層形成工程、第三の表示パターンに係る第二の光量制御層形成工程、第一の表示パターンに係る表示パターン層形成工程、第二の表示パターンに係る表示パターン層形成工程、又は第三の表示パターンに係る表示パターン層形成工程のいずれかの後に行ってもよい。
【００４７】
また、図１３（ｂ）に示す如く、第一の光量制御層作成工程に先立ち、基体５０の裏面に対し、遮光層形成工程を行い、遮光層５２の遮光層非形成部５２ａ及び遮光層５２の上に第一の光量制御層５１を積層するようにしてもよい。
【００４８】
また、上記実施形態においては、各光源３ａ，３ｂ，３ｃの光は、表示パターン層５４、第二の光量制御層５３、第一の光量制御層５１の順で透過するようになっている。しかし、本発明はこれに限定されない。例えば、第一の光量制御層、第二の光量制御層、表示パターン層の順で光が透過する層構造であってもよく、第一の光量制御層、第二の光量制御層、表示パターン層の光が透過する順序は特に限定されない。
【００４９】
また、上記実施形態においては、各第二の光量制御層５３ａ，５３ｂ，５３ｃは、それぞれメジウムの配合量を変えることにより、光量調整度を異ならせている。しかし、各第二の光量制御層がすべて光量調整度が異なっている必要はない。例えば、緑色と赤色は補色関係にあることから、第二の表示パターン５Ｂに係る第二の光量制御層５３ｂと第三の表示パターン５Ｃに係る第二の光量制御層５３ｃの光量調整度を同じにすることは可能である。
【００５０】
また、上記実施形態においては、各セグメント５ａ，５ｂ，５ｃは円形である。しかし、セグメントの形状はこれに限定されるものではない。例えば、図１４に示す如く、セグメントは線状であってもよい。この場合、各表示パターン５Ａ，５Ｂ，５Ｃが１／３ピッチずつずれて配置されることで、各セグメント５ａ，５ｂ，５ｃは重なっていない。
【００５１】
また、上記実施形態においては、基体５０は、シートの形態である。しかし、基体は、所定の厚みを有し、側面に対向配置した光源の光を裏面内面で反射して表面に出射する導光体の形態であってもよい。
【００５２】
また、上記実施形態においては、可変表示できる表示パターンは三種類である。しかし、可変表示できる表示パターンは二種類あるいは四種類以上であってもよい。この場合、可変表示する表示パターンの種類の数に応じて、色が異なる光源を設けることになる。
【００５３】
また、上記実施形態においては、可変表示する全表示パターンが重なるものである。しかし、例えば、第一の表示パターンと第二の表示パターンとが重なり、第三の表示パターンは第一の表示パターンには重ならず、第二の表示パターンと重なるというように、全表示パターンの一部だけが重なるようにしてもよい。
【００５４】
ところで、上記実施形態（前段落までの記載を含む、以下同様。）の技術は、一つの表示領域に異なる表示パターンを表示する技術であることから、かかる技術は、図１５に示す可変表示体５にも適用することができる。
【００５５】
かかる可変表示体５は、経時的な状態変化及び／又は位置変化を伴う表示パターンを表示するものである。一例としての図１５では、第一の表示パターン５Ａは、ヤシの木に登り始めるサルを表し、例えば青色に発光表示される。第二の表示パターン５Ｂは、ヤシの木の途中まで登ったサルを表し、例えば緑色に発光表示される。第三の表示パターン５Ｃは、ヤシの木に登り切り、ヤシの実を取ろうとするサルを表し、例えば赤色に発光表示される。この場合、各表示パターン５Ａ，５Ｂ，５Ｃは、上記実施形態と同様、互いに離間する複数のセグメントで構成してもよいし、そうではなく、連続した一体の表示パターンであってもよい。
【００５６】
かかる可変表示体５も、上記実施形態の技術を用いて製造され得る。したがって、一例として、第一の光量制御層５１は、全表示パターン５Ａ，５Ｂ，５Ｃを包含するように形成され、第二の光量制御層５３は、表示パターン５Ａ，５Ｂ，５Ｃごとに形成される。ただし、図１５の例では、各表示パターン５Ａ，５Ｂ，５Ｃは、位置変化を伴うことから、互いに離間した配置態様となっている。そのため、第一の光量制御層５１は、表示パターン５Ａ，５Ｂ，５Ｃごとに形成されるようにしてもよい。
【００５７】
なお、かかる可変表示体５は、追加の要素として、背景画像６を有している。図１５の例では、背景画像６は、線画で表され、基体５０の表面に例えば印刷により形成されるか（表刷り）、基体５０の裏面であって、第一の光量制御層５１との間に例えば印刷により形成される（裏刷り）。この背景画像６を形成する技術は、上記実施形態にも適用できる。
【００５８】
かかる可変表示体５によれば、各表示パターン５Ａ，５Ｂ，５Ｃが経時的な状態変化及び／又は位置変化を伴って表示されることから、単純ではあるが、液晶画面にはない興趣性に富んだ表示となり、見る者を飽きさせないという効果がある。
【符号の説明】
【００５９】
１…可変表示装置、２…筐体、２ａ…開口部、３…光源、３ａ…青色光源、３ｂ…緑色光源、３ｃ…赤色光源、４…基板、５…可変表示体、５Ａ…第一の表示パターン、５Ｂ…第二の表示パターン、５Ｃ…第三の表示パターン、５ａ…第一の表示パターンを構成するセグメント、５ｂ…第二の表示パターンを構成するセグメント、５ｃ…第三の表示パターンを構成するセグメント、５０…基体、５１…第一の光量制御層、５２…遮光層、５２ａ…遮光層非形成部、５３…第二の光量制御層、５３ａ…第一の表示パターンに係る第二の光量制御層、５３ｂ…第二の表示パターンに係る第二の光量制御層、５３ｃ…第三の表示パターンに係る第二の光量制御層、５４…表示パターン層、５４ａ…第一の表示パターンに係る表示パターン層、５４ｂ…第二の表示パターンに係る表示パターン層、５４ｃ…第三の表示パターンに係る表示パターン層、６…背景画像
【図１】
2019211681.tif 000003
【図２】
2019211681.tif 000004
【図３】
2019211681.tif 000005
【図４】
2019211681.tif 000006
【図５】
2019211681.tif 000007
【図６】
2019211681.tif 000008
【図７】
2019211681.tif 000009
【図８】
2019211681.tif 000010
【図９】
2019211681.tif 000011
【図１０】
2019211681.tif 000012
【図１１】
2019211681.tif 000013
【図１２】
2019211681.tif 000014
【図１３】
2019211681.tif 000015
【図１４】
2019211681.tif 000016
【図１５】
2019211681.tif 000017